(57)【要約】本開示は、モバイル端末、画面制御方法、装置及び記録媒体を提供し、端末技術分野に属する。前記モバイル端末は、本体の正面と本体の裏面を有する本体と、順次に接続された第１の表示エリア、第２の表示エリア及び第３の表示エリアを有し、第１の表示エリアが本体の正面に設置され、第２の表示エリアがフレキシブル材料で構成されるディスプレイと、本体に設置され、且つ第１の伸縮部材によって第１のスライダーに接続される第１の駆動ユニットと、を備える。本開示は、モバイル端末の内部に駆動ユニット及び伸縮部材が設置され、駆動ユニットは、ディスプレイが展開又は収縮されるように、伸縮部材を駆動してスライダーを押したり引いたりするように制御されることにより、フレキシブルディスプレイの自動展開又は収縮が実現され、ユーザによるマニュアル操作は必要なく、利便性が高い。【選択図】図１
2021523391.tif 000002
【特許請求の範囲】
【請求項１】
本体の正面と本体の裏面を有する本体と、
順次に接続された第１の表示エリア、第２の表示エリア及び第３の表示エリアを有し、前記第１の表示エリアが前記本体の正面に設置され、前記第２の表示エリアがフレキシブル材料で構成されるディスプレイと、
前記本体に設置され、且つ第１の伸縮部材によって第1のスライダーに接続される第１の駆動ユニットと、を備え、
ここで、前記第３の表示エリアが内側への収縮状態から外側への伸張状態に変化する過程において、前記第１の駆動ユニットは、前記第３の表示エリアが前記第1のスライダーの移動につれて動かされて前記本体の裏面から前記本体の正面に反転されるように、前記第１の伸縮部材を駆動して前記第1のスライダーを外側に押せ、
前記第３の表示エリアが前記外側への伸張状態から前記内側への収縮状態に変化する過程において、前記第１の駆動ユニットは、前記第３の表示エリアが前記本体の正面から前記本体の裏面に反転されるように、前記第１の伸縮部材を駆動して前記第1のスライダーを内側に引かせる
ことを特徴とするモバイル端末。
【請求項２】
前記第２の表示エリアの裏面は、湾曲可能な支持部材である
ことを特徴とする請求項１に記載されたモバイル端末。
【請求項３】
前記湾曲可能な支持部材は、シリカゲル、熱可塑性ポリウレタンＴＰＵゴム、ヒンジのいずれのものである
ことを特徴とする請求項２に記載されたモバイル端末。
【請求項４】
前記第３の表示エリアが前記内側への収縮状態にある場合、前記第３の表示エリアの裏面が前記本体の裏面の第１の領域に貼り合わせられる
ことを特徴とする請求項１に記載されたモバイル端末。
【請求項５】
前記本体の裏面の第１の領域に第１の接続部が設置され、
前記第３の表示エリアの裏面に、前記第１の接続部に適合された第２の接続部が設置され、
前記第３の表示エリアが前記内側への収縮状態にある場合、前記第１の接続部と前記第２の接続部により接続が形成される
ことを特徴とする請求項４に記載されたモバイル端末。
【請求項６】
前記第１の接続部と前記第２の接続部との間にはスナップ接続が形成され、
又は、
前記第１の接続部と前記第２の接続部との間には磁気接続が形成される
ことを特徴とする請求項５に記載されたモバイル端末。
【請求項７】
前記本体の裏面の第１の領域にカメラが設置される
ことを特徴とする請求項４に記載されたモバイル端末。
【請求項８】
前記第３の表示エリアが前記外側への伸張状態にある場合、前記第1のスライダーの上表面が前記第２の表示エリアの裏面に貼り合わせられる
ことを特徴とする請求項１〜７のいずれか１項に記載されたモバイル端末。
【請求項９】
前記第1のスライダーの上表面に摺動溝が形成され、前記第１の表示エリアの裏面に、前記摺動溝に適合された摺動材が形成される
ことを特徴とする請求項１〜７のいずれか１項に記載されたモバイル端末。
【請求項１０】
ストッパ機構をさらに備え、
前記ストッパ機構は、前記第３の表示エリアが前記内側への収縮状態から前記外側への伸張状態に変化する過程において、前記第1のスライダーの最大変位に対して制限するように構成される
ことを特徴とする請求項１〜７のいずれか１項に記載されたモバイル端末。
【請求項１１】
前記ディスプレイは、第４の表示エリアと、第５の表示エリアと、をさらに備え、前記第１の表示エリア、前記第４の表示エリア及び前記第５の表示エリアが順次に接続され、且つ前記第４の表示エリアと前記第２の表示エリアはそれぞれ前記第１の表示エリアの両側に位置し、前記第４の表示エリアがフレキシブル材料で構成され、
前記モバイル端末は、第２の駆動ユニットをさらに備え、前記本体に設置され、且つ第２の伸縮部材によって第２のスライダーに接続され、
ここで、前記第５の表示エリアが前記内側への収縮状態から前記外側への伸張状態に変化する過程において、前記第２の駆動ユニットは、前記第５の表示エリアが前記第２のスライダーの移動につれて動かされて前記本体の裏面から前記本体の正面に反転されるように、前記第２の伸縮部材を駆動して前記第２のスライダーを外側に押せ、
前記第５の表示エリアが前記外側への伸張状態から前記内側への収縮状態に変化する過程において、前記第２の駆動ユニットは、前記第５の表示エリアが前記本体の正面から前記本体の裏面に反転されるように、前記第２の伸縮部材を駆動して前記第２のスライダーを内側に引かせる
ことを特徴とすることを特徴とする請求項１〜７のいずれか１項に記載されたモバイル端末。
【請求項１２】
請求項１〜１１のいずれか１項に記載された前記モバイル端末に適用され、前記方法は、
画面展開コマンドを受信するステップと、
前記画面展開コマンドに基づき、前記第１の駆動ユニットは、前記第３の表示エリアが前記第1のスライダーの移動につれて動かされて前記本体の裏面から前記本体の正面に反転されるように、前記第１の伸縮部材を駆動して前記第1のスライダーを外側に押せるように制御されるステップ、を含む
ことを特徴とする画面制御方法。
【請求項１３】
画面収縮コマンドを受信するステップと、
前記画面収縮コマンドに基づき、前記第１の駆動ユニットは、前記第３の表示エリアが前記本体の正面から前記本体の裏面に反転されるように、前記第１の伸縮部材を駆動して前記第1のスライダーを内側に引かせるように制御されるステップと、をさらに含む
ことを特徴とする請求項１２に記載された画面制御方法。
【請求項１４】
請求項１〜１１のいずれか１項に記載された前記モバイル端末に適用され、前記装置は、
画面展開コマンドを受信するための展開コマンド受信モジュールと、
前記画面展開コマンドに基づき、前記第１の駆動ユニットは、前記第３の表示エリアが前記第1のスライダーの移動につれて動かされて前記本体の裏面から前記本体の正面に反転されるように、前記第１の伸縮部材を駆動して前記第1のスライダーを外側に押せるように制御されるための画面展開モジュールと、を備える
ことを特徴とする画面制御装置。
【請求項１５】
画面収縮コマンドを受信するための収縮コマンド受信モジュールと、
前記画面収縮コマンドに基づき、前記第１の駆動ユニットは、前記第３の表示エリアが前記本体の正面から前記本体の裏面に反転されるように、前記第１の伸縮部材を駆動して前記第1のスライダーを内側に引かせるように制御されるための画面収縮モジュールと、をさらに備える
ことを特徴とする請求項１４に記載された画面制御装置。
【請求項１６】
コンピュータープログラムが記憶された非一時的コンピュータ読み取り可能な記録媒体であって、
前記コンピュータープログラムがプロセッサーによって実行される場合、請求項１２〜１３のいずれか１項に記載の方法のステップが実行される
ことを特徴とする非一時的コンピュータ読み取り可能な記録媒体。
【発明の詳細な説明】
【技術分野】
【０００１】
本願は、出願番号が２０１９１０３１９７６３．５であって、出願日が２０１９年４月１９日である中国特許出願に基づき優先権を主張し、当該中国特許出願の内容の全てを本願に援用する。
【０００２】
本開示の実施例は、端末技術分野に関するものであり、特に、モバイル端末、画面制御方法、装置及び記録媒体に関するものである。
【背景技術】
【０００３】
端末技術の発展に伴い、フレキシブルディスプレイが登場された。フレキシブルディスプレイは、曲げられて変形できる特性があるから広く応用される。
関連技術において、折りたたみ式ディスプレイがフレキシブルディスプレイの主な運用形態である。ユーザがより大きな表示画面を使用しようとする場合、ユーザは画面をマニュアルで展開してもよく、ユーザが通常の表示画面を使用しようとする場合、展開された画面をマニュアルで折り返してもよい。
しがしながら、上記の関連技術におけるディスプレイの展開と折り畳みは、ユーザによりマニュアルで操作される必要があり、利便性が低い。
【発明の概要】
【発明が解決しようとする課題】
【０００４】
本開示の実施例はモバイル端末、画面制御方法、装置及び記録媒体を提供する。
【課題を解決するための手段】
【０００５】
前記の技術的案は以下の通り、
本開示の実施例の第１の態様によれば、モバイル端末が提供され、
前記モバイル端末は、
本体の正面と本体の裏面を有する本体と、
順次に接続された第１の表示エリア、第２の表示エリア及び第３の表示エリアを有し、前記第１の表示エリアが前記本体の正面に設置され、前記第２の表示エリアがフレキシブル材料で構成されるディスプレイと、
前記本体に設置され、且つ第１の伸縮部材によって第１のスライダーに接続される第１の駆動ユニットと、を備え、
ここで、前記第３の表示エリアが内側への収縮状態から外側への伸張状態に変化する過程において、前記第１の駆動ユニットは、前記第３の表示エリアが前記第１のスライダーの移動につれて動かされて前記本体の裏面から前記本体の正面に反転されるように、前記第１の伸縮部材を駆動して前記第１のスライダーを外側に押せ、
前記第３の表示エリアが前記外側への伸張状態から前記内側への収縮状態に変化する過程において、前記第１の駆動ユニットは、前記第３の表示エリアが前記本体の正面から前記本体の裏面に反転されるように、前記第１の伸縮部材を駆動して前記第１のスライダーを内側に引かせる。
【０００６】
選択的に、前記第２の表示エリアの裏面は湾曲可能な支持部材である。
【０００７】
選択的に、前記湾曲可能な支持部材は、シリカゲル  、ＴＰＵ（Ｔｈｅｒｍｏｐｌａｓｔｉｃ  ｐｏｌｙｕｒｅｔｈａｎｅｓ、熱可塑性ポリウレタン）ゴム、ヒンジのいずれのものである。
【０００８】
選択的に、前記第３の表示エリアが前記内側への収縮状態にある場合、前記第３の表示エリアの裏面が前記本体の裏面の第１の領域に貼り合わせられる。
【０００９】
選択的に、前記本体の裏面の第１の領域に第１の接続部が設置され、
前記第３の表示エリアの裏面に、前記第１の接続部に適合された第２の接続部が設置され、
前記第３の表示エリアが前記内側への収縮状態にある場合、前記第１の接続部と前記第２の接続部により接続が形成される。
選択的に、前記第１の接続部と前記第２の接続部との間にはスナップ接続が形成され、
又は、
前記第１の接続部と前記第２の接続部との間には磁気接続が形成される。
【００１０】
選択的に、前記本体の裏面の第１の領域にカメラが設置される。
【００１１】
選択的に、前記第３の表示エリアが前記外側への伸張状態にある場合、前記第１のスライダーの上表面が前記第２の表示エリアの裏面に貼り合わせられる。
【００１２】
選択的に、前記第１のスライダーの上表面に摺動溝が形成され、前記第１の表示エリアの裏面に、前記摺動溝に適合された摺動材が形成される。
【００１３】
選択的に、前記モバイル端末はストッパ機構をさらに備え、
前記ストッパ機構は、前記第３の表示エリアが前記内側への収縮状態から前記外側への伸張状態に変化する過程において、前記第１のスライダーの最大変位に対して制限するように構成される。
【００１４】
選択的に、前記ディスプレイは、第４の表示エリアと、第５の表示エリアと、をさらに備え、前記第１の表示エリア、前記第４の表示エリア及び前記第５の表示エリアが順次に接続され、且つ前記第４の表示エリアと前記第２の表示エリアはそれぞれ前記第１の表示エリアの両側に位置し、前記第４の表示エリアがフレキシブル材料で構成され、
前記モバイル端末は、前記本体に設置され、且つ第２の伸縮部材によって第２のスライダーに接続される、第２の駆動ユニットをさらに備え、
ここで、
前記第５の表示エリアが前記内側への収縮状態から前記外側への伸張状態に変化する過程において、前記第２の駆動ユニットは、前記第５の表示エリアが前記第２のスライダーの移動につれて動かされて前記本体の裏面から前記本体の正面に反転されるように、前記第２の伸縮部材を駆動して前記第２のスライダーを外側に押せ、
前記第５の表示エリアが前記外側への伸張状態から前記内側への収縮状態に変化する過程において、前記第２の駆動ユニットは、前記第５の表示エリアが前記本体の正面から前記本体の裏面に反転されるように、前記第２の伸縮部材を駆動して前記第２のスライダーを内側に引かせる。
【００１５】
本開示の実施例の第２の態様によれば、画面制御方法が提供され、上記の第１の態様に記載のモバイル端末に適用され、前記方法は、
画面展開コマンドを受信するステップと、
前記画面展開コマンドに基づき、前記第１の駆動ユニットは、前記第３の表示エリアが前記第１のスライダーの移動につれて動かされて前記本体の裏面から前記本体の正面に反転されるように、前記第１の伸縮部材を駆動して前記第１のスライダーを外側に押せるように制御されるステップ、を含む。
【００１６】
選択的に、前記方法は、
画面収縮コマンドを受信するステップと、
前記画面収縮コマンドに基づき、前記第１の駆動ユニットは、前記第３の表示エリアが前記本体の正面から前記本体の裏面に反転されるように、前記第１の伸縮部材を駆動して前記第１のスライダーを内側に引かせるように制御されるステップ、をさらに含む。
【００１７】
本開示の実施例の第３の態様によれば、画面制御装置が提供され、上記の第１の態様に記載のモバイル端末に適用され、前記装置は、
画面展開コマンドを受信するための展開コマンド受信モジュールと、
前記画面展開コマンドに基づき、前記第１の駆動ユニットは、前記第３の表示エリアが前記第１のスライダーの移動につれて動かされて前記本体の裏面から前記本体の正面に反転されるように、前記第１の伸縮部材を駆動して前記第１のスライダーを外側に押せるように制御されるための画面展開モジュールと、を備える。
【００１８】
選択的に、前記装置は、
画面収縮コマンドを受信するための収縮コマンド受信モジュールと、
前記画面収縮コマンドに基づき、前記第１の駆動ユニットは、前記第３の表示エリアが前記本体の正面から前記本体の裏面に反転されるように、前記第１の伸縮部材を駆動して前記第１のスライダーを内側に引かせるように制御されるための画面収縮モジュールと、をさらに備える。
【００１９】
本開示の実施例の第４の態様によれば、コンピュータープログラムが記憶された非一時的コンピュータ読み取り可能な記録媒体が提供され、前記コンピュータープログラムがプロセッサーにより実行される場合、上記の第２の態様に記載の方法のステップが実現される。
【発明の効果】
【００２０】
本開示の実施例に提供された技術的案によれば、以下のような作用効果を奏することができる。
【００２１】
モバイル端末の内部に駆動ユニット及び伸縮部材が設置され、駆動ユニットは、ディスプレイが展開又は収縮されるように、伸縮部材を駆動してスライダーを押したり引いたりするように制御されることにより、フレキシブルディスプレイの自動展開又は収縮が実現され、ユーザによるマニュアル操作は必要なく、利便性が高い。
【００２２】
上述した一般的な記述および後続の詳細な記述は、単に例示的および解釈的なものであり、本開示を制限するものでないことは、理解されるべきである。
【図面の簡単な説明】
【００２３】
ここでの図面は、明細書に組み入れて本明細書の一部分を構成し、本開示に適した実施例を例示し、且つ明細書とともに本開示の原理を解釈するために用いられる。
【図１】一例示的な実施例に係るモバイル端末を示す構造模式図である。
【図２】他の一例示的な実施例に係るモバイル端末を示す構造模式図である。
【図３】一例示的な実施例に係るスナップ接続を示す模式図である。
【図４】他の一例示的な実施例に係るモバイル端末を示す構造模式図である。
【図５】他の一例示的な実施例に係るモバイル端末を示す構造模式図である。
【図６】一例示的な実施例に係る画面制御方法を示すフローチャートである。
【図７】他の一例示的な実施例に係る画面制御方法を示すフローチャートである。
【図８】一例示的な実施例に係る画面控制装置を示すブロック図である。
【図９】他の一例示的な実施例に係る画面控制装置を示すブロック図である。
【図１０】他の一例示的な実施例に係る画面控制装置を示すブロック図である。
【発明を実施するための形態】
【００２４】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施例に記載の実施形態は、本開示と一致する全ての実施形態を代表するものではない。即ち、それらは、特許請求の範囲に記載の本開示のある側面に一致する装置及び方法の例に過ぎない。
【００２５】
図１及び図２を併せて参照すると、モバイル端末の構造模式図を例示的に示す。図１において、モバイル端末のディスプレイが収縮状態にあり、図２において、モバイル端末のディスプレイが展開状態にある。上記のモバイル端末１００は、本体１１０と、ディスプレイ１２０と、第１の駆動ユニット１３０と、を備える。
【００２６】
本体１１０は、本体１１０の正面と、本体１１０の裏面と、を備える。
【００２７】
本体１１０がモバイル端末１００の本体フレームである。本体１１０は通常に、六面体の形状を呈し、当該六面体の一部の稜又は角は、アーチ形面取りで形成されてもよい。本体１１０の正面は通常に、角丸な長方形又は直角な長方形を呈する。本開示の実施例において、本体１１０はディスプレイ１２０を支持するために用いられてもよい。本体１１０の内部には、メインチップおよび他の主要な部品がさらに収容されてもよい。ユーザは、本体１１０の正面でディスプレイ１２０とインタラクティブを行うことが可能である。
【００２８】
ディスプレイ１２０は、順次に接続された第１の表示エリア１２１と、第２の表示エリア１２２と、及び第３の表示エリア１２３と、を備え、第１の表示エリア１２１が本体１１０の正面に設置され、第２の表示エリア１２２がフレキシブル材料で構成される。
ディスプレイ１２０は、画像と色彩を表示するためのものである。選択的に、ディスプレイ１２０はタッチディスプレイであり、タッチディスプレイは、表示機能に加えて、ユーザからのタッチ操作（例えば、クリック、スライド、押圧などの操作）を受信する機能、をさらに具備してもよい。選択的に、当該ディスプレイ１２０は、ＯＬＥＤ（Ｏｒｇａｎｉｃ  Ｌｉｇｈｔ−Ｅｍｉｔｔｉｎｇ  Ｄｉｏｄｅ、有機発光ダイオード）画面であってもよい。
【００２９】
例示的に、第２の表示エリア１２２がフレキシブル材料で構成され、第１の表示エリア１２１又は第３の表示エリア１２３がフレキシブル材料または剛性材料で作られてもよい。第１の表示エリア１２１及び第３の表示エリア１２３がフレキシブル材料で作られた場合、ディスプレイ１２０がその全部が一つのフレキシブルディスプレイであり、フレキシブルディスプレイは、曲げられて柔軟性を備えるディスプレイを意味し、フレキシブルディスプレイは、曲げたり折り畳んだりされるなどの方式により、画面の形態が変更される。
【００３０】
例示的な実施例において、第１の表示エリア１２１、第２の表示エリア１２２及び第３の表示エリア１２３は、三つの異なるディスプレイではなく、ディスプレイ画面１２０における三つの異なる表示領域であり、隣接する二つの表示領域の間には継ぎ目が存在しない。
【００３１】
第１の駆動ユニット１３０は、本体１１０に設置され、且つ第１の伸縮部材１４０によって第１のスライダー１５０に接続される。
【００３２】
本開示の実施例において、第１の駆動ユニット１３０は、第１の伸縮部材１４０が第１のスライダー１５０を押したり引いたりして移動させることができるように、電気エネルギーを機械エネルギーに変換することができる。選択的に、第１の駆動ユニット１３０がモーターである。
【００３３】
第１の伸縮部材１４０は伸縮可能な部材を意味する。例示的に、第１の伸縮部材１４０は、接続ロッドであってもよいし、他の伸縮性を備える部材であってもよい。本開示の実施例は、第１の伸縮部材１４０のタイプに対して限定しない。
【００３４】
本開示の実施例において、第３の表示エリア１２３が内側への収縮状態から外側への伸張状態に変化する過程において、第１の駆動ユニット１３０は、第３の表示エリア１２３が第１のスライダー１５０の移動につれて動かされて本体１１０の裏面から本体１１０の正面に反転されるように、第１の伸縮部材１４０を駆動して第１のスライダー１５０を外側に押せる。モバイル端末１００は、図１に示す状態から図２に示す状態に変化する。
【００３５】
第３の表示エリア１２３が外側への伸張状態から内側への収縮状態に変化する過程において、第１の駆動ユニット１３０は、第３の表示エリア１２３が本体１１０の正面から本体１１０の裏面に反転されるように、第１の伸縮部材１４０を駆動して第１のスライダー１５０を内側に引かせる。モバイル端末１００が図２に示す状態から図１に示す状態に変化する。
【００３６】
第３の表示エリア１２３が展開する過程において、第１の駆動ユニット１３０は、第１のスライダー１５０が本体から離れる方向に移動されるように、第１の伸縮部材１４０を駆動して第１のスライダー１５０を外側に押せ、第１のスライダー１５０が移動された時に、第２の表示エリア１２２がそれにより連動されて移動され、さらに、第３の表示エリア１２３が第２の表示領域１２２により連動されて移動されることにより、第３の表示エリア１２３を本体１１０の裏面から本体１１０の正面に反転させることで、ディスプレイ１２０の展開が実現される。第３の表示エリア１２３が外側への伸張状態にある場合、モバイル端末１００の画面の表示面積が大きくなる。本開示の実施例により提供された技術的案は、モバイル端末１００の携帯便利性に加え、モバイル端末１００の画面表示面積を増大させた。
【００３７】
第３の表示エリア１２３の収縮過程において、第１の駆動ユニット１３０は、第１のスライダー１５０が本体１１０に近接する方向に移動されるように、第１の伸縮部材１４０を駆動して第１のスライダー１５０を内側に引かせ、第１のスライダー１５０が移動された時に、第２の表示エリア１２２がそれにより連動されて移動され、さらに、第３の表示エリア１２３が第２の表示領域１２２により連動されて移動されることにより、第３の表示エリア１２３を本体１１０の正面から本体１１０の裏面に反転させることで、ディスプレイ１２０の収縮が実現される。
【００３８】
例示的な実施例において、第２の表示エリア１２２の裏面は、湾曲可能な支持部材である。湾曲可能な支持部材は、第３の表示エリア１２３が外側への伸張状態にある場合、第２の表示領域１２２に対して支持するためのものである。湾曲可能な支持部材は、シリカゲル、ＴＰＵゴム、ヒンジのいずれのものである。
【００３９】
例示的な実施例において、第３の表示エリア１２３が外側への伸張状態ある場合、第１のスライダー１５０の上表面が第２の表示エリア１２２の裏面に貼り合わせられる。この時に、第１のスライダー１５０は、第２表示領域１２２に対して良好な支持の役割を果たし、第２表示領域１２２の展開状態時の非支持状態に起因する画面が平坦にならない現象を回避することができる。
【００４０】
選択的に、第３の表示エリア１２３が内側への収縮状態にある場合、第３の表示エリア１２３の裏面が本体１１０裏面の第１の領域に貼り合わせられる。
【００４１】
選択的に、本体１１０の裏面の第１の領域に第１の接続部が設置され、第３の表示エリア１２３の裏面に第１の接続部に適合された第２の接続部が設置され、第３の表示エリア１２３が内側への収縮状態にある場合、第１の接続部と第２の接続部により接続が形成される。第１の接続部および第２の接続部は、第３の表示エリア１２３が内側への収縮状態にあるときに、第３の表示エリア１２３に対して固定の役割を果たすことができる。
【００４２】
一例において、第１の接続部と第２の接続部との間にはスナップ接続が形成される。例示的に、図３に示すように、第１の接続部はスナップ１１１であり、第２の接続部はスナップ１１１に適合されたスナップ溝１１２である。選択的に、スナップ１１１が１つのモーターに接続され、当該モーターによりスナップ溝１１２にスナップ１１１を挿入することが実現され、又は、スナップ溝１１２から当該スナップ１１１を離脱することが実現される。第３の表示エリア１２３が外側への伸張状態から内側への収縮状態に変化する場合、ユーザは、第３の表示エリア１２３を、第３の表示エリア１２３が収縮状態にあるときの位置にマニュアルで折り返し、スナップ１１１をスナップ溝１１２に挿入することができる。
【００４３】
他の例において、第１の接続部と第２の接続部との間には磁気接続が形成される。例示的に、第１の接続部と第２の接続部はいずれも永久磁石であり、本体１１０と第３の表示エリア１２３との間の距離を増大させることにより、第３の表示エリア１２３を外側に伸張させ、本体１１０と第３の表示エリア１２３との間の距離を減少させることにより、第３の表示エリア１２３を外側に収縮させる。又は、第１の接続部と第２の接続部の一方は永久磁石であり、他方は軟磁石である。軟磁石に電流を出力することにより、第１の接続部と第２の接続部との間には反発力が発生され、第１の接続部から第２の接続部が離れ、第３の表示エリア１２３を外側に伸張させる。
【００４４】
選択的に、本体１１０の裏面の第１の領域にカメラが設置される。撮影するときに、第３の表示エリア１２３が外側に展開され、モバイル端末１００は、カメラを露出させることにより、ユーザの撮影のニーズを満足させる。カメラが普段に外に露出されないように本体１１０の裏面の第１の領域にカメラが設置されることで、カメラに対して保護することができる。
【００４５】
図４に示すように、第１のスライダー１５０の上表面に摺動溝１５１が形成され、第１の表示エリア１２１の裏面には摺動溝１５１に適合された摺動材１５２が形成される。摺動溝１５１と摺動材１５２の設置は、第１の表示エリア１２１が第１のスライダー１５０から離れることを防止し、第１のスライダー１５０の移動抵抗をある程度軽減することが可能である。
【００４６】
選択的に、モバイル端末１００は、ストッパ機構をさらに備える。ストッパ機構は、第３の表示エリアが内側への収縮状態から外側への伸張状態に変化する過程において、第１のスライダー１５０の最大変位に対して制限するように構成される。このようにして、第１のスライダー１５０の変位が過度に大きくなることにより、画面が過度に引き伸ばされて損傷を与えることを防止することが可能である。
【００４７】
例示的に、ストッパ機構は、磁性素子とホールセンサーを含んでもよい。磁性素子は永磁性素子および軟磁性素子を含んでもよい。ホールセンサーは、ホール効果によって作られる磁気センサーの一種である。本開示の実施例において、ホールセンサーは、磁性素子とホールセンサーとの間の変位、すなわち、本体１１０と第１のスライダー１５０との間の変位を間接的に測定してもよい。選択的に、磁性素子が本体１１０に設置され、ホールセンサーが第１のスライダー１５０に設置され、又は、磁性素子が第１のスライダー１５０に設置され、ホールセンサーが本体１１０に設置される。本体１１０と第１のスライダー１５０との間の変位が予め設定された閾値よりも大きい場合、モバイル端末１００は、第１の駆動ユニット１３０の動作が停止するように制御することで、第１のスライダー１５０の移動を停止させ、さらに第３の表示エリア１２３の展開を停止させる。
【００４８】
モバイル端末１００にストッパ機構が設置されることにより、ディスプレイ１２０を良好に保護し、ディスプレイ１２０の過度の展開によって引き起こされる損傷を回避することが可能である。
【００４９】
もちろん、第１の伸縮部材１４０の伸縮長さを設定することにより、ストッパ機構のストッパ機能としても作用してもよい。
【００５０】
以上の説明をまとめると、本開示の実施例により提供された技術的案において、モバイル端末の内部に駆動ユニット及び伸縮部材が設置され、駆動ユニットは、ディスプレイが展開又は収縮されるように、伸縮部材を駆動してスライダーを押したり引いたりするように制御されることにより、フレキシブルディスプレイの自動展開又は収縮が実現され、ユーザによるマニュアル操作は必要なく、利便性が高い。
【００５１】
図５は他の一例示的な実施例に係るモバイル端末を示す構造模式図である。当該モバイル端末は、本体１１０と、ディスプレイ１２０と、第１の駆動ユニット１３０と、第２の駆動ユニット１６０と、を備える。
【００５２】
ディスプレイ１２０は、第１の表示エリア１２１と、第２の表示エリア１２２と、及び第３の表示エリア１２３と、を備え、第４の表示エリア１２４と第５の表示エリア１２５をさらに備える。
【００５３】
本開示の実施例において、第１の表示エリア１２１、第４の表示エリア１２４及び第５の表示エリア１２５が順次に接続され、且つ第４の表示エリア１２４と第２の表示エリア１２２がそれぞれ第１の表示エリア１２１の両側に位置し、第４の表示エリア１２４がフレキシブル材料で作れられる。即ち、第５の表示エリア１２５、第４の表示エリア１２４、第１の表示エリア１２１、第２の表示エリア１２２及び第３の表示エリア１２３が順次に接続される。
【００５４】
在示例性の実施例において、第５の表示エリア１２５、第４の表示エリア１２４、第１の表示エリア１２１、第２の表示エリア１２２及び第３の表示エリア１２３は、五つの異なるディスプレイではなく、ディスプレイ画面１２０における五つの異なる表示領域であり、隣接する二つの表示領域の間には継ぎ目が存在しない。
【００５５】
例示的に、第１の表示エリア１２１又は第３の表示エリア１２３又は第５の表示エリア１２５がフレキシブル材料又は剛性材料で作られてもよい。第１の表示エリア１２１、第３の表示エリア１２３及び第５の表示エリア１２５がいずれもフレキシブル材料で作られた場合、ディスプレイ１２０はその全部が一つのフレキシブルディスプレイである。
【００５６】
第２の駆動ユニット１６０は、本体１１０に設置され、且つ第２の伸縮部材１７０によって第２のスライダー１８０に接続され、
本開示の実施例において、第２の駆動ユニット１６０は、第２の伸縮部材１７０が第２のスライダー１８０を押したり引いたりして移動させることができるように、電気エネルギーを機械エネルギーに変換することができる。選択的に、第２の駆動ユニット１６０がモーターである。
【００５７】
第２の伸縮部材１７０は伸縮可能な部材を意味する。例示的に、第２の伸縮部材１７０は、接続ロッドであってもよいし、他の伸縮性を備える部材であってもよい。本開示の実施例は、第１の伸縮部材１７０のタイプに対して限定しない。
【００５８】
第５の表示エリア１２５が内側への収縮状態から外側への伸張状態に変化する過程において、第２の駆動ユニット１６０は、第５の表示エリア１２５が第２のスライダー１８０の移動につれて動かされて本体１１０の裏面から本体１１０の正面に反転されるように、第２の伸縮部材１７０を駆動して第２のスライダー１８０を外側に押せる。
【００５９】
第５の表示エリア１２５が外側への伸張状態から内側への収縮状態に変化する過程において、第２の駆動ユニット１６０は、第５の表示エリア１２５が本体１１０の正面から本体１１０の裏面に反転されるように、第２の伸縮部材１７０を駆動して第２のスライダー１８０を内側に引かせる。
【００６０】
第５の表示領域１２５の展開および収縮過程についての説明は、上述した第３の表示エリア１２３の展開および収縮過程についての説明を参照してもよく、ここでは説明を省略する。
【００６１】
選択的に、第４の表示エリア１２４の裏面が湾曲可能な支持部材である。当該湾曲可能な支持部材は、シリカゲル、ＴＰＵゴム、ヒンジのいずれのものである。
【００６２】
選択的に、第５の表示エリア１２５が内側への収縮状態にある場合、第５の表示エリア１２５の裏面が本体１１０裏面の第２の領域に貼り合わせられる。
【００６３】
本体１１０裏面の第２の領域に第３の接続部が設置され、第５の表示エリア１２５の裏面に第３の接続部に適合された第４の接続部が設置され、第５の表示エリア１２５が内側への収縮状態にある場合、第３の接続部と第４の接続部により接続が形成される。
【００６４】
第３の接続部および第４の接続部についての説明は、第１の接続部および第２の接続部についての説明を参照してもよく、ここでは説明を省略する。
【００６５】
第５の表示エリア１２５が外側への伸張状態にある場合、第２のスライダー１８０の上表面が第４の表示エリア１２４の裏面に貼り合わせられる。
【００６６】
第３の表示エリア１２３及び第５の表示エリア１２５が同時に展開されてもよく、この時に、画面の表示面積が一番大きくなり、もちろん、第３の表示エリア１２３が展開されてもよく、第５の表示エリア１２５が収縮されてもよい。又は、第３の表示エリア１２３が収縮されてもよく、第５の表示エリア１２５が展開されてもよい。第３の表示エリア１２３及び第５の表示エリア１２５の展開又は収縮についてはユーザの表示ニーズにより決定され、ユーザが最大の表示面積を使用しようとする場合、第３の表示エリア１２３及び第５の表示エリア１２５が同時に展開されてもよい。本開示の実施例により提供された技術的案について、表示形式は多様化している。
【００６７】
以上の説明をまとめると、本開示の実施例により提供された技術的案において、両側に駆動ユニット及び伸縮部材が設置されることにより、表示面積を増大させ、表示形式が多様化されることで、ユーザの表示ニーズをより良く満足させることができる。
【００６８】
図６は一例示的な実施例に係る画面制御方法を示すフローチャートであり、上記に記載のモバイル端末に適用され、前記方法の実行本体が上記に説明されたモバイル端末であってもよい。前記方法は、以下のいくつかのステップ（ステップ６０１〜６０２）を含む。
【００６９】
ステップ６０１において、画面展開コマンドを受信する。
【００７０】
画面展開コマンドはディスプレイを展開するための操作コマンドである。画面展開コマンドは、ディスプレイ内におけるシステムインタラクティブボタンによってトリガーされてもよいし、モバイル端末に設置されたエンティティ又はタッチボタンによってトリガーされてもよく、もちろん、他の可能な実現形態において、画面展開コマンドは、ユーザの音声、ジェスチャーによってトリガーされてもよい。本開示の実施例は画面展開コマンドのドリガー形態に対して限定しない。
【００７１】
ステップ６０２において、画面展開コマンドに基づき、第１の駆動ユニットは、第３の表示エリアが第１のスライダーの移動につれて動かされて本体の裏面から本体の正面に反転されるように、第１の伸縮部材を駆動して第１のスライダーを外側に押せるように制御される。
【００７２】
第３の表示エリアの展開過程において、第１の駆動ユニットは、第１のスライダーが本体から離れる方向に移動されるように、第１の伸縮部材を駆動して第１のスライダーを外側に押せ、第１のスライダーが移動された時に、第２の表示エリアが連動されて移動され、さらに、第３の表示エリアが第２の表示領域により連動されて移動されることにより、第３の表示エリアを本体の裏面から本体の正面に反転させることで、ディスプレイの展開が実現される。
【００７３】
模式的に、ユーザがより大きな表示面積を用いて動画を見ようとする場合、ユーザは、ディスプレイ上でのあるシステムボタンをクリックし、画面展開コマンドをトリガーしてもよい。モバイル端末は、画面展開コマンドを受信した後に、第３の表示エリアを展開し、モバイル端末は、ユーザに動画を見せるためにより大きな表示面積を提供する。
【００７４】
選択的に、図７に示すように、方法は、以下のいくつかのステップ（ステップ６０３〜６０４）をさらに含む。
【００７５】
ステップ６０３において、画面収縮コマンドを受信する。
【００７６】
画面収縮コマンドはディスプレイを収縮するための操作コマンドである。画面収縮コマンドは、ディスプレイ内におけるシステムインタラクティブボタンによってトリガーされてもよいし、モバイル端末に設置されたエンティティ又はタッチボタンによってトリガーされてもよく、もちろん、他の可能な実現形態において、画面収縮コマンドは、ユーザの音声、ジェスチャーによってトリガーされてもよい。本開示の実施例は画面収縮コマンドのドリガー形態に対して限定しない。
【００７７】
ステップ６０４において、画面収縮コマンドに基づき、第１の駆動ユニットは、第３の表示エリアが本体の正面から本体の裏面に反転されるように、第１の伸縮部材を駆動して第１のスライダーを内側に引かせる。
【００７８】
第３の表示エリアの収縮過程において、第１の駆動ユニットは、第１のスライダーが本体に近接する方向に移動されるように、第１の伸縮部材を駆動して第１のスライダーを内側に引かせ、第１のスライダーが移動された時に、第２の表示エリアが連動されて移動され、さらに、第３の表示エリアが第２の表示領域により連動されて移動されることにより、第３の表示エリアを本体の正面から本体の裏面に反転させることで、ディスプレイの収縮が実現される。
【００７９】
模式的に、ユーザが動画を見終わった後に、ユーザが大きな表示面積を必要とすることがなくなり、ユーザはディスプレイ画面上でのシステムボタンを再びにクリックし、画面の伸縮コマンドをトリガーする。モバイル端末は、画面を伸縮させるコマンドを受信した後に、第３の表示エリアを収縮し、モバイル端末の表示面積が正常の面積に戻る。
【００８０】
以上の説明をまとめると、本開示の実施例により提供された技術的案において、モバイル端末の内部に駆動ユニット及び伸縮部材が設置され、駆動ユニットは、ディスプレイが展開又は収縮されるように、伸縮部材を駆動してスライダーを押したり引いたりするように制御されることにより、フレキシブルディスプレイの自動展開又は収縮が実現され、ユーザによるマニュアル操作は必要なく、利便性が高い。
【００８１】
以下は本開示の装置の実施例であり、本開示の方法の実施例を実行するために使用されてもよい。本開示の装置の実施例において開示されない詳細については、本開示の方法の実施例を参照してください。
【００８２】
図８は、一例示的な実施例に係る画面控制装置を示すブロック図である。当該装置が上記に記載のモバイル端末に適用され、当該装置が上記に記載のモバイル端末であってもよいし、モバイル端末に設置されてもよい。当該装置は、上記の方法の実施例を実現する機能があり、前記機能は、ハードウェアにより実現されてもよいし、ハードウェアが対応するソフトウェアを実行させることにより実現されてもよい。当該装置８００は、展開コマンド受信モジュール８１０と、画面展開モジュール８２０と、を備えてもよい。
【００８３】
前記展開コマンド受信モジュール８１０は、画面展開コマンドを受信するように構成される。
【００８４】
前記画面展開モジュール８２０は、前記画面展開コマンドに基づき、前記第１の駆動ユニットは、前記第３の表示エリアが前記第１のスライダーの移動につれて動かされて前記本体の裏面から前記本体の正面に反転されるように、前記第１の伸縮部材を駆動して前記第１のスライダーを外側に押せるように制御されるように構成される。
【００８５】
以上の説明をまとめると、本開示の実施例により提供された技術的案において、モバイル端末の内部に駆動ユニット及び伸縮部材が設置され、駆動ユニットは、ディスプレイが展開又は収縮されるように、伸縮部材を駆動してスライダーを押したり引いたりするように制御されることにより、フレキシブルディスプレイの自動展開又は収縮が実現され、ユーザによるマニュアル操作は必要なく、利便性が高い。
【００８６】
選択的に、図９に示すように、装置８００は、収縮コマンド受信モジュール８３０と、画面収縮モジュール８４０と、をさらに備える。
【００８７】
前記収縮コマンド受信モジュール８３０は、画面収縮コマンドを受信するように構成される。
【００８８】
前記画面収縮モジュール８４０は、前記画面収縮コマンドに基づき、前記第１の駆動ユニットは、前記第３の表示エリアが前記本体の正面から前記本体の裏面に反転されるように、前記第１の伸縮部材を駆動して前記第１のスライダーを内側に引かせるように制御されるように構成される。
【００８９】
なお、上述の実施例により提供された装置に関しては、その機能が実現される場合、単に上述の各機能モジュールの区分を例に挙げて説明し、実際の応用において、上記の機能を必要に応じて異なる機能モジュールによって割り振られて完成されてもよく、即ち、デバイスの内部構造は、上記のような機能の全部または一部が完成されるように異なる機能モジュールに区分されてもよい。また、上記の実施例によって提供された装置は、方法の実施例と同じ発想に属する。その具体的な実現過程は、方法の実施例を詳細に参照し、ここでは説明を省略する。
【００９０】
図１０は他の例示的実施例に係る画面制御装置１０００を示すブロック図である。例えば、当該装置１０００は上記に記載のモバイル端末であり、当該装置１０００は、携帯電話、コンピュータ、デジタルブロードキャスト端末、メッセージ送受信機、ゲームコンソール、タブレットデバイス、医療機器、フィットネス機器、ＰＤＡ等のものであってもよい。
【００９１】
図１０を参照すると、装置１０００は、処理ユニット１００２、メモリ１００４、電源ユニット１００６、マルチメディアユニット１００８、オーディオユニット１０１０、入力／出力（Ｉ／Ｏ）インタフェース１０１２、センサーユニット１０１４、及び通信ユニット１０１６からなる群から選ばれる少なくとも１つを備えてもよい。
【００９２】
処理ユニット１００２は、一般的には、装置１０００の全体の操作、例えば、表示、電話呼び出し、データ通信、カメラ操作及び記録操作に関連する操作を制御する。処理ユニット１００２は、上述した方法におけるステップの一部又は全部を実現できるように、命令を実行する少なくとも１つのプロセッサー１０２０を備えてもよい。また、処理ユニット１００２は、他のユニットとのインタラクションを便利にさせるように、少なくとも１つのモジュールを備えてもよい。例えば、処理ユニット１００２は、マルチメディアユニット１００８とのインタラクションを便利にさせるように、マルチメディアモジュールを備えてもよい。
【００９３】
メモリ１００４は、装置１０００での操作をサポートするように、各種のデータを記憶するように配置される。これらのデータは、例えば、装置１０００で何れのアプリケーション又は方法を操作するための命令、連絡先データ、電話帳データ、メッセージ、画像、ビデオ等を含む。メモリ１００４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【００９４】
電源ユニット１００６は、装置１０００の各種ユニットに電力を供給するためのものであり、電源管理システム、１つ又は複数の電源、及び装置１０００のために電力を生成、管理及び分配することに関連する他のユニットを備えてもよい。
【００９５】
マルチメディアユニット１００８は、装置１０００とユーザとの間に出力インタフェースを提供する画面を備えてもよい。画面は、例えば、液晶ディスプレイ（ＬＣＤ）やタッチパネル（ＴＰ）を備えてもよい。画面は、タッチパネルを備える場合、ユーザからの入力信号を受信するように、タッチ画面になることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１００８は、フロントカメラ及び／又はバックカメラを有してもよい。装置１０００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００９６】
オーディオユニット１０１０は、オーディオ信号を出力及び／又は入力するように配置される。例えば、オーディオユニット１０１０は、マイクロフォン（ＭｉＣ）を有してもよい。装置１０００が、例えば、呼び出しモード、記録モード、又は音声認識モードのような操作モードにあるとき、マイクロフォンは、外部のオーディオ信号を受信するように配置される。受信したオーディオ信号は、メモリ１００４にさらに記憶されてもよいし、通信ユニット１０１６を介して送信されてもよい。一実施例では、オーディオユニット１０１０は、オーディオ信号を出力するためのスピーカをさらに備えてもよい。
【００９７】
Ｉ／Ｏインタフェース１０１２は、処理ユニット１００２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【００９８】
センサーユニット１０１４は、装置１０００のために各方面の状態を評価する少なくとも１つのセンサーを備えてもよい。例えば、センサーユニット１０１４は、装置１０００のオン／オフ状態や、ユニットの相対的な位置を検出することができる。例えば、前記ユニットは、装置１０００のディスプレイ及びキーパッドである。センサーユニット１０１４は、装置１０００又は装置１０００の１つのユニットの位置の変化、ユーザによる装置１０００への接触の有無、装置１０００の方向又は加速／減速、装置１０００の温度変化などを検出することができる。センサーユニット１０１４は、何れの物理的な接触もない場合に付近の物体を検出するように配置される近接センサーを有してもよい。センサーユニット１０１４は、イメージングアプリケーションに用いるための光センサー、例えば、ＣＭＯＳ又はＣＣＤ画像センサーを有してもよい。一実施例では、当該センサーユニット１０１４は、加速度センサー、ジャイロスコープセンサー、磁気センサー、圧力センサー又は温度センサーをさらに備えてもよい。
【００９９】
通信ユニット１０１６は、装置１０００と他の設備の間との無線又は有線通信を便利にさせるように配置される。装置１０００は、通信標準に基づく無線ネットワーク、例えば、ＷｉＦｉ、２Ｇ又は３Ｇ、又はそれらの組み合わせにアクセスできる。１つの例示的な実施例では、通信ユニット１０１６は、ブロードキャストチャンネルを介して外部のブロードキャスト管理システムからのブロードキャスト信号又はブロードキャストに関する情報を受信する。１つの例示的な実施例では、前記通信ユニット１０１６は、近距離通信を促進するために近距離無線通信（ＮＦＣ）モジュールをさらに備えてもよい。
【０１００】
例示的な実施例では、装置１０００は、上述した画面制御方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【０１０１】
例示的な実施例では、コンピュータープログラムが記憶された非一時的コンピュータ読み取り可能な記録媒体をさらに提供する。上記のコンピュータープログラムは、装置１０００のプロセッサー１０２０により実行されて上述した画面制御方法を実現する。
【０１０２】
例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【０１０３】
本明細書で言及される「複数」は、２つ以上を意味することを理解すべきである。「及び／又は」は、関連付けられた対象の関連付けられた関係を記述し、３つの関係が存在し得ることを示し、例えば、Ａ及び／又はＢは、Ａのみに存在し、ＡとＢが同時に存在し、Ｂのみに存在するという３つの状況を表すことが可能である。文字「／」は一般に、前後に関連付けられた対象が「又は」の関係であることを表す。
【０１０４】
以上は本開示の例示的な実施例にすぎず、本開示の請求範囲を限定するものではない。本開示の精神と原則を離脱しない限り、任意の修正、均等の切り替え、改善など、いずれも本開示の特許請求の範囲に含まれるべきである。
【図１】
2021523391.tif 000003
【図２】
2021523391.tif 000004
【図３】
2021523391.tif 000005
【図４】
2021523391.tif 000006
【図５】
2021523391.tif 000007
【図６】
2021523391.tif 000008
【図７】
2021523391.tif 000009
【図８】
2021523391.tif 000010
【図９】
2021523391.tif 000011
【図１０】
2021523391.tif 000012
【手続補正書】
【提出日】令和1年9月27日(2019.9.27)
【手続補正２】
【補正対象書類名】明細書
【補正対象項目名】０００２
【補正方法】変更
【補正の内容】
【０００２】
本開示の実施例は、端末技術分野に関するものであり、特に、モバイル端末、画面制御方法、装置、プログラム及び記録媒体に関するものである。
【手続補正３】
【補正対象書類名】明細書
【補正対象項目名】０００４
【補正方法】変更
【補正の内容】
【０００４】
本開示の実施例はモバイル端末、画面制御方法、装置、プログラム及び記録媒体を提供する。
【手続補正４】
【補正対象書類名】明細書
【補正対象項目名】００１９
【補正方法】変更
【補正の内容】
【００１９】
本開示の実施例の第４の態様によれば、コンピュータープログラムが記憶された非一時的コンピュータ読み取り可能な記録媒体が提供され、前記コンピュータープログラムがプロセッサーにより実行される場合、上記の第２の態様に記載の方法のステップが実現される。
本開示の実施例の第５の態様によれば、プログラムが提供され、プログラムは、プロセッサーに実行されることにより、上記方法を実現する。
【手続補正５】
【補正対象書類名】特許請求の範囲
【補正対象項目名】全文
【補正方法】変更
【補正の内容】
【特許請求の範囲】
【請求項１】
本体の正面と本体の裏面を有する本体と、
順次に接続された第１の表示エリア、第２の表示エリア及び第３の表示エリアを有し、前記第１の表示エリアが前記本体の正面に設置され、前記第２の表示エリアがフレキシブル材料で構成されるディスプレイと、
前記本体に設置され、且つ第１の伸縮部材によって第1のスライダーに接続される第１の駆動ユニットと、を備え、
ここで、前記第３の表示エリアが内側への収縮状態から外側への伸張状態に変化する過程において、前記第１の駆動ユニットは、前記第３の表示エリアが前記第1のスライダーの移動につれて動かされて前記本体の裏面から前記本体の正面に反転されるように、前記第１の伸縮部材を駆動して前記第1のスライダーを外側に押せ、
前記第３の表示エリアが前記外側への伸張状態から前記内側への収縮状態に変化する過程において、前記第１の駆動ユニットは、前記第３の表示エリアが前記本体の正面から前記本体の裏面に反転されるように、前記第１の伸縮部材を駆動して前記第1のスライダーを内側に引かせる
ことを特徴とするモバイル端末。
【請求項２】
前記第２の表示エリアの裏面は、湾曲可能な支持部材である
ことを特徴とする請求項１に記載されたモバイル端末。
【請求項３】
前記湾曲可能な支持部材は、シリカゲル、熱可塑性ポリウレタンＴＰＵゴム、ヒンジのいずれのものである
ことを特徴とする請求項２に記載されたモバイル端末。
【請求項４】
前記第３の表示エリアが前記内側への収縮状態にある場合、前記第３の表示エリアの裏面が前記本体の裏面の第１の領域に貼り合わせられる
ことを特徴とする請求項１に記載されたモバイル端末。
【請求項５】
前記本体の裏面の第１の領域に第１の接続部が設置され、
前記第３の表示エリアの裏面に、前記第１の接続部に適合された第２の接続部が設置され、
前記第３の表示エリアが前記内側への収縮状態にある場合、前記第１の接続部と前記第２の接続部により接続が形成される
ことを特徴とする請求項４に記載されたモバイル端末。
【請求項６】
前記第１の接続部と前記第２の接続部との間にはスナップ接続が形成され、
又は、
前記第１の接続部と前記第２の接続部との間には磁気接続が形成される
ことを特徴とする請求項５に記載されたモバイル端末。
【請求項７】
前記本体の裏面の第１の領域にカメラが設置される
ことを特徴とする請求項４に記載されたモバイル端末。
【請求項８】
前記第３の表示エリアが前記外側への伸張状態にある場合、前記第1のスライダーの上表面が前記第２の表示エリアの裏面に貼り合わせられる
ことを特徴とする請求項１〜７のいずれか１項に記載されたモバイル端末。
【請求項９】
前記第1のスライダーの上表面に摺動溝が形成され、前記第１の表示エリアの裏面に、前記摺動溝に適合された摺動材が形成される
ことを特徴とする請求項１〜７のいずれか１項に記載されたモバイル端末。
【請求項１０】
ストッパ機構をさらに備え、
前記ストッパ機構は、前記第３の表示エリアが前記内側への収縮状態から前記外側への伸張状態に変化する過程において、前記第1のスライダーの最大変位に対して制限するように構成される
ことを特徴とする請求項１〜７のいずれか１項に記載されたモバイル端末。
【請求項１１】
前記ディスプレイは、第４の表示エリアと、第５の表示エリアと、をさらに備え、前記第１の表示エリア、前記第４の表示エリア及び前記第５の表示エリアが順次に接続され、且つ前記第４の表示エリアと前記第２の表示エリアはそれぞれ前記第１の表示エリアの両側に位置し、前記第４の表示エリアがフレキシブル材料で構成され、
前記モバイル端末は、第２の駆動ユニットをさらに備え、前記本体に設置され、且つ第２の伸縮部材によって第２のスライダーに接続され、
ここで、前記第５の表示エリアが前記内側への収縮状態から前記外側への伸張状態に変化する過程において、前記第２の駆動ユニットは、前記第５の表示エリアが前記第２のスライダーの移動につれて動かされて前記本体の裏面から前記本体の正面に反転されるように、前記第２の伸縮部材を駆動して前記第２のスライダーを外側に押せ、
前記第５の表示エリアが前記外側への伸張状態から前記内側への収縮状態に変化する過程において、前記第２の駆動ユニットは、前記第５の表示エリアが前記本体の正面から前記本体の裏面に反転されるように、前記第２の伸縮部材を駆動して前記第２のスライダーを内側に引かせる
ことを特徴とすることを特徴とする請求項１〜７のいずれか１項に記載されたモバイル端末。
【請求項１２】
請求項１〜１１のいずれか１項に記載された前記モバイル端末に適用され、前記方法は、
画面展開コマンドを受信するステップと、
前記画面展開コマンドに基づき、前記第１の駆動ユニットは、前記第３の表示エリアが前記第1のスライダーの移動につれて動かされて前記本体の裏面から前記本体の正面に反転されるように、前記第１の伸縮部材を駆動して前記第1のスライダーを外側に押せるように制御されるステップ、を含む
ことを特徴とする画面制御方法。
【請求項１３】
画面収縮コマンドを受信するステップと、
前記画面収縮コマンドに基づき、前記第１の駆動ユニットは、前記第３の表示エリアが前記本体の正面から前記本体の裏面に反転されるように、前記第１の伸縮部材を駆動して前記第1のスライダーを内側に引かせるように制御されるステップと、をさらに含む
ことを特徴とする請求項１２に記載された画面制御方法。
【請求項１４】
請求項１〜１１のいずれか１項に記載された前記モバイル端末に適用され、前記装置は、
画面展開コマンドを受信するための展開コマンド受信モジュールと、
前記画面展開コマンドに基づき、前記第１の駆動ユニットは、前記第３の表示エリアが前記第1のスライダーの移動につれて動かされて前記本体の裏面から前記本体の正面に反転されるように、前記第１の伸縮部材を駆動して前記第1のスライダーを外側に押せるように制御されるための画面展開モジュールと、を備える
ことを特徴とする画面制御装置。
【請求項１５】
画面収縮コマンドを受信するための収縮コマンド受信モジュールと、
前記画面収縮コマンドに基づき、前記第１の駆動ユニットは、前記第３の表示エリアが前記本体の正面から前記本体の裏面に反転されるように、前記第１の伸縮部材を駆動して前記第1のスライダーを内側に引かせるように制御されるための画面収縮モジュールと、をさらに備える
ことを特徴とする請求項１４に記載された画面制御装置。
【請求項１６】
プロセッサーに実行されることにより、請求項１２又は１３に記載の画面制御方法を実現する、プログラム。
【請求項１７】
請求項１６に記載のプログラムが記憶された記録媒体。
【国際調査報告】
2021523391.tif 000013
2021523391.tif 000014
2021523391.tif 000015
2021523391.tif 000016